(57)【要約】方法は、自動電話番号ダイヤル装置がゲートウェイにおいて同時に使用されているときに、ワイヤレスデジタルテレフォニーと従来のアナログテレフォニーの対立を解消するように機能する。この方法は、単一のアナログ電話回線が、ワイヤレスデジタル電話インターフェースを用いて動作もするシステム内の自動電話ダイヤル装置およびアナログ電話セットとインターフェースするとき、１つの電話回線を使用して動作する電話呼を優先するように作用する。この方法は、アクティブな呼が存在するかどうかを検出するステップと、ダイヤルされた電話番号がアクティブな呼よりも優先順位が高いかどうかを判定するステップとを含む。システム内の呼の発信元にかかわらず、最も高い優先順位に従って、最も優先順位が高い呼がかけられるまたは保存される。
2013526147.tif 000002
【特許請求の範囲】
【請求項１】
電話呼を優先するための装置であって、
自動電話ダイヤル装置およびアナログ電話に接続するアナログ電話回線インターフェースと、
ワイヤレスデジタル電話のためのワイヤレスデジタル電話インターフェースと、
前記アナログ電話または前記ワイヤレスデジタル電話からかけられた電話呼に適応するネットワークインターフェースと
を備え、
前記自動ダイヤル装置が前記アナログ電話回線インターフェース上で電話呼をかけたときに、優先順位がより高い電話呼が既にアクティブである場合を除き、前記アナログ電話または前記ワイヤレスデジタル電話を使用するアクティブな呼が中断されることを特徴とする装置。
【請求項２】
前記アナログ電話回線インターフェースは、ジャンクションボックスを介して前記自動電話ダイヤル装置および前記アナログ電話への接続を有することを特徴とする請求項１に記載の装置。
【請求項３】
前記装置はゲートウェイであり、前記ネットワークインターフェースはパケット化データネットワークに接続し、前記ワイヤレスデジタル電話インターフェースはＤＥＣＴ（ｄｉｇｉｔａｌ  ｅｎｈａｎｃｅｄ  ｃｏｒｄｌｅｓｓ  ｔｅｌｅｃｏｍｍｕｎｉｃａｔｉｏｎｓ）ハンドセットまたはＷＤＣＴ（ｗｏｒｌｄｗｉｄｅ  ｄｉｇｉｔａｌ  ｃｏｒｄｌｅｓｓ  ｔｅｌｅｃｏｍｍｕｎｉｃａｔｉｏｎｓ）ハンドセットの１つまたは複数に接続することを特徴とする請求項１に記載の装置。
【請求項４】
パケット化データネットワークに接続するケーブルまたはＤＳＬゲートウェイを備えることを特徴とする請求項１に記載の装置。
【請求項５】
前記ネットワークインターフェースはケーブルまたはＤＳＬネットワークインターフェースであることを特徴とする請求項１に記載の装置。
【請求項６】
前記自動電話ダイヤル装置は、前記自動電話ダイヤル装置を組み込むセキュリティシステムまたは前記自動電話ダイヤル装置を組み込むファックスデバイスのうちの１つを備えることを特徴とする請求項１に記載の装置。
【請求項７】
前記装置上のローカルコンピュータインターフェース、リモート通信インターフェース、またはユーザインターフェースの１つまたは複数を介して構成されることを特徴とする請求項１に記載の装置。
【請求項８】
自動ダイヤル装置に接続されたゲートウェイによって実行される方法であって、
アクティブな呼に使用された第１の電話の電話番号を検出するステップと、
第２の電話番号がダイヤルされたかどうかを検出するステップと、
前記第１の電話番号の優先順位および前記第２の電話番号の優先順位にアクセスすることによって、前記第２の電話番号が前記第１の電話番号よりも高い優先順位を有するかどうかを判定するステップと、
前記第２の電話番号が前記第１の電話番号よりも高い優先順位を有する場合、前記アクティブな呼を中断し、前記第２の電話番号を使用して新しい呼をかけるステップと、
前記第２の電話番号が前記第１の電話番号よりも低い優先順位を有する場合、前記第２の電話番号を無視し、前記アクティブな呼を維持するステップと
を含むことを特徴とする方法。
【請求項９】
前記判定するステップは、前記第２の電話番号の前記優先順位を前記第１の電話番号の前記優先順位と比較するステップをさらに含むことを特徴とする請求項８に記載の方法。
【請求項１０】
前記第１の電話番号の前記優先順位および前記第２の電話番号の前記優先順位はメモリからアクセスされることを特徴とする請求項９に記載の方法。
【請求項１１】
前記第１の電話番号の前記優先順位および前記第２の電話番号の前記優先順位は、前記ゲートウェイのローカルコンピュータインターフェース、リモートコンピュータインターフェース、またはユーザインターフェースの１つまたは複数を使用することによって前記メモリ内に配置されることを特徴とする請求項１０に記載の方法。
【請求項１２】
前記無視するステップは、前記検出するステップに戻り、ダイヤルされる新しい第２の電話番号を待機するステップをさらに含むことを特徴とする請求項８に記載の方法。
【発明の詳細な説明】
【技術分野】
【０００１】
本発明は電気通信に関し、特に、ゲートウェイに関連した自動ダイヤル装置の適応に関する。
【背景技術】
【０００２】
［関連出願の相互参照］
本出願は、その全体が参照により本明細書に組み込まれている、２０１０年４月１６日に出願された「Ｃａｂｌｅ  Ｇａｔｅｗａｙ  Ｈｏｍｅ  Ａｌａｒｍ  Ｓｕｐｐｏｒｔ」という名称の米国特許仮出願第６１／３２４，８８１号明細書の優先権を主張するものである。
【０００３】
単一の電話回線を典型的なアナログ電話回線と共有するようにして、自動ダイヤル装置を単一の電話回線に接続することができる。図１は、自動ダイヤル装置１０２とローカルアナログ電話セット１０３との間の共有電話回線接続を有するシステム１００を示す。電話ネットワーク１０１は、ローカルアナログ電話が電話ネットワーク１０１によって提供された単一の電話回線を使用することを可能にするジャンクションボックス１０４へのアナログ電話インターフェースを提供する。典型的には、米国では、そのようなジャンクションボックスはＲＪ−３１Ｘ接続ボックスとして知られており、典型的には、ＰＯＴＳ（ｐｌａｉｎ  ｏｌｄ  ｔｅｌｅｐｈｏｎｅ  ｓｙｓｔｅｍ）としても知られているアナログ電話システムに関連して使用されている。米国の従来のシステムでは、ローカルアナログ電話セットへのインターフェースは、ＲＪ−１１標準ジャックインターフェースとすることができる。
【０００４】
典型的には、ローカルアナログ電話１０３によって電話をかけることができるように、ジャンクションボックスは家庭または企業などの建物内に設置される。１つの等価回路では、ジャンクションボックス１０４はアクティブなスイッチを含まないが、自動ダイヤル装置１０２内のスイッチＳＷ１は、位置Ａにあるとき、ローカルアナログ電話呼をかけることを可能にする。自動ダイヤル装置が電話回線を占有するように作用するとき、自動ダイヤル装置はＳＷ１を位置Ｂに切り換えることができる。この作用は、ローカルアナログ電話１０３で処理中の任意の呼を中断し、自動ダイヤル装置が電話をかけることを可能にする。また、ＲＪ−３１Ｘなどの機能を有するジャンクションボックスは、自動ダイヤル装置が取り付けられていないとき、ローカルアナログ電話が動作することを可能にする。簡潔にするために、この機能に関する手段は図１に示されていない。
【０００５】
自動ダイヤル装置は、家庭または企業オフィス向けのセキュリティシステムの一部として機能することができる。この例では、自動ダイヤル装置は、必要に応じて警察、消防署、または救急車に電話をかけることができる。代替的な設定では、自動ダイヤル装置を企業オフィスの一部とすることができ、自動ダイヤル装置は、在庫目録を差し替えるためのファックス呼、クレジットカードの確認、または任意の他の自動ビジネス呼などの任意のビジネスに関連したイベントについて、自動的に電話をかける。
【０００６】
そのようなシステムの１つの明白な欠点は、自動ダイヤル装置１０２が単一の電話回線を占有するとき、アナログ電話セット１０３における任意のアクティブな呼が尚早に中断されるということである。このシステムでは、アクティブな呼が優先順位が高い呼と見なされる場合、自動ダイヤル装置は、優先順位が高いアクティブな呼を中断して、優先順位が低い自動的にダイヤルされた呼を接続することができるということが当業者によって理解され得る。アクティブな呼のこの強制的で優先順位が付けられていない中断は、混乱を生じさせる可能性がある。デジタルテレフォニーの到来に伴い、自動アナログダイヤル装置を包含することは、自動ダイヤル装置がかけた呼を優先して、優先順位が高いアクティブな呼を意図せずに停止することを表し得る。
【発明の概要】
【０００７】
本発明は、自動電話番号ダイヤル装置が同時に使用されているときに、ワイヤレスデジタルテレフォニーと従来のアナログテレフォニーの対立を切り離すまたは解消するように機能する。例示的な実施形態は、自動ダイヤル装置がかけた優先順位が低い呼を優先して、優先順位が高い呼が終了されるという問題に解決策を提供する。
【０００８】
一実施形態では、１つの電話回線を使用して動作する、電話呼を優先するための装置は、自動電話ダイヤル装置およびアナログ電話に接続するアナログ電話回線インターフェースと、ワイヤレスデジタル電話インターフェースと、ネットワークインターフェースとを含む。この装置は、電話番号の優先順位評価に従って、自動ダイヤル装置からかけられた呼を適応させる。この評価が自動ダイヤル装置の電話番号はアクティブな呼よりも下位であると判定した場合、自動ダイヤル装置の発呼は無視される。自動ダイヤル装置が、アナログインターフェースまたはワイヤレスデジタル電話インターフェースのいずれかに存在するアクティブな呼に比べて優先順位が高い電話呼をかけるときのみ、アクティブな呼の中断が許可される。
【０００９】
一実施形態では、方法は自動ダイヤル装置に接続されたゲートウェイによって実行される。この方法は、アクティブな呼が存在するかどうかを検出するステップと、第２の電話番号がダイヤルされたかどうかを検出するステップとを含む。第２の電話番号がアクティブな第１の電話番号よりも高い優先順位を有する場合、アクティブな呼が中断され、第２の電話番号の呼がかけられる。または、第２の電話番号が第１の電話番号よりも低い優先順位を有する場合、検出された第２の電話番号の呼は無視される。
【００１０】
本発明のさらなる特徴および利点は、添付の図を参照しながら行われる、例示的な実施形態の以下の説明から明らかとなろう。
【図面の簡単な説明】
【００１１】
【図１】自動ダイヤル装置を単一のローカルアナログ電話に追加するための従来技術の例示的な技法を示す図である。
【図２】アナログ電話および複数のワイヤレス電話をサポートするゲートウェイを示す図である。
【図３】本発明の態様によるゲートウェイの例示的なブロック図である。
【図４】本発明の一態様による自動ダイヤル装置にインターフェースするゲートウェイシステムの例示的な図である。
【図５】本発明の態様による方法の例示的な流れ図である。
【発明を実施するための形態】
【００１２】
ゲートウェイは、ＩＰネットワークにおけるパケットなどのデータパケットを伝送することができるネットワークを、アナログ電話などの他の形態の従来のデバイスにインターフェースするように作用するデバイスである。典型的なゲートウェイとしては、ケーブルゲートウェイおよびデジタル加入者線（ＤＳＬ）ゲートウェイが挙げられる。それぞれのプロトコルを用いてインターフェースするために、ケーブルゲートウェイはケーブルモデムを含み、ＤＳＬゲートウェイはＤＳＬモデムを含む。図２は、パケットデータケーブルシステムまたはＤＳＬネットワーク２０１を有線アナログ電話セット２０３にインターフェースするように作用する例示的なケーブルまたはＤＳＬゲートウェイシステム２００を示す。ここでは、有線電話へのインターフェースは、標準ＲＪ−１１アナログ電話インターフェースとすることができる。加えて、ケーブルまたはＤＳＬゲートウェイ２０２は、複数のワイヤレスハンドセット２０４Ａ、２０４Ｂ、および２０４Ｃへの無線周波数（ＲＦ）インターフェースを提供するように作用することもできる。図２は、ワイヤレスハンドセットとしてのＤＥＣＴ（ｄｉｇｉｔａｌ  ｅｎｈａｎｃｅｄ  ｃｏｒｄｌｅｓｓ  ｔｅｌｅｃｏｍｍｕｎｉｃａｔｉｏｎｓ）端末を示す。ＤＥＣＴハンドセットは一般に、１．７ＧＨＺから１．９ＧＨｚまたは他の周波数で、ケーブルまたはＤＳＬゲートウェイ２０２上のアンテナ２０６を介したワイヤレスパケット送信によって動作する。ＤＥＣＴワイヤレスハンドセットは、単に参照例として図２に提示されている。ワイヤレスデジタルテレフォニーの多くの異なる形式を使用することができる。一実施形態では、Ｗｉ−Ｆｉに適したＷＤＣＴ（ｗｏｒｌｄｗｉｄｅ  ｄｉｇｉｔａｌ  ｃｏｒｄｌｅｓｓ  ｔｅｌｅｃｏｍｍｕｎｉｃａｔｉｏｎｓ）ハンドセットは、典型的には２．４ＧＨｚまたは他の周波数で動作する。当業者であれば、アンテナ２０６を使用する図２のワイヤレスインターフェースは、ＤＥＣＴハンドセット、ＷＤＣＴハンドセット、または他のデジタルワイヤレス形式のハンドセットに適応することができることを認識されよう。簡潔にするために、本例のＤＥＣＴハンドセットを一例として使用するが、本発明はＤＥＣＴの用途に限定されない。
【００１３】
図２において、有線電話２０３またはＤＥＣＴハンドセット２０４Ａ〜Ｃのいずれかの場合、ケーブルまたはＤＳＬゲートウェイは、ケーブルまたはＤＳＬネットワーク２０１を介して接続されたハンドセットと電話宛先との間のボイスオーバーインターネットプロトコル（ＶｏＩＰ）サービスを提供する。ケーブルまたはＤＳＬネットワークは、ケーブルまたはＤＳＬゲートウェイ２０２と別のケーブルまたはＤＳＬゲートウェイとの間の接続、またはサービスプロバイダへの接続を提供して、上述のＰＯＴＳなどの標準的なアナログ電話システムに広範な接続を追加することができる。また、ケーブルまたはＤＳＬゲートウェイ２０２は、図２に示されるものなどの有線接続を介して、またはワイヤレス接続（図示せず）を介して、ローカルコンピュータ２０５への接続を提供する。したがって、コンピュータ２０５の例示的なインターフェースは、イーサネット（登録商標）およびＩＥＥ８０２．１１を含む。
【００１４】
図３は、図２におけるアイテム２０２などのケーブルまたはＤＳＬゲートウェイのブロックダイアグラム３００を示す。図３の一実施形態では、ＲＦケーブルまたはＤＳＬインターフェース３０１は、ＲＦ変調機能およびＲＦ復調機能を実行するケーブルまたはＤＳＬチューナ３０２によって受け取られる。中央処理装置、モデム、およびボイスオーバーインターネットプロトコル（ＶｏＩＰ）ユニット３０４は、復調されたケーブルまたはＤＳＬ信号を受け入れ、受け取られたケーブルまたはＤＳＬ信号をさらにデジタル処理して、音声データをケーブルまたはＤＳＬゲートウェイテレフォニーインターフェースに提供する。システムＲａｍ３１２は、プログラムおよびデータ情報のための記憶装置として、中央処理装置機能およびＶｏＩＰ機能をサポートする。処理されたデジタルデータは、典型的なＲＪ−４５または他の標準的なインターフェースコネクタをサポートすることができるイーサネット（登録商標）インターフェース３１０と接続された外部ローカルコンピュータとの間の転送で利用することができる。中央処理装置、モデム、およびＶｏＩＰ処理装置３０４からの処理されたデジタルデータは、アナログ電話ハンドセットへのインターフェース３０６でのデジタル−アナログ変換で利用することができる。典型的には、これはＲＪ−１１標準インターフェースを介して提供されるが、他のインターフェース標準を使用することができる。処理されたデジタルデータは、複数のワイヤレスＤＥＣＴハンドセットを同時にサポートすることができるＤＥＣＴトランシーバ３０８とのやり取りで利用することもできる。
【００１５】
図２の構成では、ケーブルまたはＤＳＬネットワークを介して、複数のＤＥＣＴハンドセットおよびローカルアナログ電話回線とともに、複数の独立した電話回線を利用可能にすることができる。しかし、複数の電話回線は、システム２００のユーザにとっては高価である場合がある。したがって、１つだけの加入者電話回線を使用してＤＥＣＴハンドセットおよびローカルアナログ電話を接続するために、上述のケーブルまたはＤＳＬゲートウェイを使用することができる。加えて、システム２００がセキュリティシステム内などに自動ダイヤル装置も含む場合、ＤＥＣＴハンドセットおよびアナログ電話を介してかけられたアクティブな呼が悪影響を受けるおそれがある。
【００１６】
図４は、自動ダイヤル装置および１つの加入者電話回線を含むケーブルまたはＤＳＬゲートウェイシステム４００を示す。ケーブルまたはＤＳＬネットワーク４０１は、ケーブルまたはＤＳＬゲートウェイ４０２と通信するパケットデータタイプインターフェースを提供する。この実施形態では、ＲＪ−３１Ｘタイプまたは他のタイプなどのジャンクションボックス４０３を使用して、自動ダイヤル装置４０４または有線アナログ電話４０５のいずれかによって使用されることになる単一のアナログ電話回線４１０への接続を提供する。ＤＥＣＴハンドセット、または他のタイプのワイヤレスハンドセットは、有線電話ハンドセット４０５とともに、１つの加入者電話回線を同時に共有することができる。ワイヤレスハンドセットは、アンテナ４０７を介してケーブルまたはＤＳＬゲートウェイ４０２にインターフェースされる。動作の際、ケーブルまたはＤＳＬゲートウェイは、ＤＥＣＴ電話のいずれかまたは全てが同じ加入者電話回線上でアクティブになることを可能にする。この構成では、１つの効果は、自動ダイヤル装置４０４がアナログ電話４０５またはＤＥＣＴハンドセットのいずれかを介してかけられたアクティブな呼を終了することができるということである。この効果は、非常に重要なアクティブな呼を終了するという不都合な結果を招くおそれがある。１つの考えられるシナリオでは、アクティブな呼を警察当局に向けて、支援を要請するか指示を得ることができる。自動ダイヤル装置がオフフックになった場合、ジャンクションボックス４０３は、１つの電話回線を中断することができる。その結果、例えば、警察当局へのアクティブな呼は、自動ダイヤル装置４０４を優先して尚早に終了される。この不都合な結果は、本発明の態様の使用によって回避される。ケーブルまたはＤＳＬゲートウェイが自動ダイヤル装置とともに使用される場合、自動ダイヤル装置は進行中のアクティブな呼を中断することができることが望ましいが、アクティブな呼が自動ダイヤル装置によってかけられた呼よりも優先順位が高い場合、アクティブな呼が中断されないことが望ましい。
【００１７】
ケーブルまたはＤＳＬゲートウェイ４０２は、電話番号の優先順位に対応する階層を認識するようにプログラムすることができる中央処理ユニットを含む。一実施形態では、電話番号のリストをケーブルまたはＤＳＬゲートウェイ４０２に入力することができる。次いで、ケーブルまたはＤＳＬゲートウェイ４０２は、アクティブな呼が自動ダイヤル装置によってダイヤルされる電話番号よりも優先順位が低い場合にのみ、自動ダイヤル装置４０４がアクティブな呼を中断することを可能にすることができる。アクティブな呼の電話番号が自動ダイヤル装置を介して接続される電話番号よりも高い優先順位を有する場合、自動ダイヤル装置の呼は無視される。したがって、自動ダイヤル装置がアナログ電話回線インターフェース上で電話をかけると、優先順位が高い電話呼がアナログインターフェース上またはワイヤレスデジタル電話インターフェース上のいずれかで既にアクティブである場合を除き、アナログ電話インターフェース上のまたはワイヤレスデジタル電話インターフェース上のアクティブな呼は中断される。
【００１８】
図５は、本発明の態様による流れ図である。最初に、ステップ５０２において、電話番号の優先順位のセットを用いてゲートウェイを構成することができる。電話番号およびそのそれぞれの優先順位のリストの構成またはセットアップは、複数の方法で実行され得る。
【００１９】
一実施形態では、選択された電話番号の優先順位の読込みまたは設定は、図４におけるコンピュータ４０８へのインターフェースを介して実現され得る。イーサネット（登録商標）インターフェースなどの有線インターフェースが図４に示されているが、ワイヤレスインターフェースを含む任意のインターフェースを使用することができる。動作の際、ゲートウェイにおける固定のローカルウェブアドレスを介してゲートウェイ４０２をアドレス指定することによって、グラフィカルユーザインターフェース（ＧＵＩ）などのユーザインターフェースが提供され得る。ゲートウェイは、ゲートウェイのセットアップ用の複数のメニューを含むウェブページを提供することによって、コンピュータ４０８におけるブラウザに応答することができる。これらの構成セットアップメニューページの１つまたは複数は、電話番号の優先順位付けされたリストの入力または提出に適応する。一実施形態では、警察、消防署、救急車、および他の緊急番号などの優先順位が高い電話番号を、リストに記載されている他の電話番号よりも高い優先順位を有するものとして指定することができる。優先順位が低い電話番号は、ビジネスサプライヤへのファックス用電話番号またはクレジット確認用電話番号を含み得る。一実施形態では、電話番号がリストに記載されていない場合、その電話番号は最も低い優先順位を有する。したがって、リストに記載されている電話番号のみが指定された優先順位を有する。ゲートウェイに提供されていない電話番号は、いかなる他の電話番号にも優先しない。
【００２０】
電話番号およびそのそれぞれの優先順位を入力するための別の技法は、アナログ電話４０５またはいずれか１つのワイヤレスハンドセットのいずれかを介した電話番号の手動での入力を可能にすることである。この入力の方法では、ゲートウェイは、電話番号および優先順位として、デュアルトーンマルチ周波数（ＤＴＭＦ）入力を受け入れることができる。キーおよび／またはゲートウェイからユーザへのプロンプトを使用することによって、ゲートウェイカバーパネル上の物理インターフェースまたはソフトインターフェースを介して、そのような入力を適応させることもできる。
【００２１】
電話優先順位リストを構成するための別の技法は、簡易ネットワーク管理プロトコル（ＳＮＭＰ）リモート呼を使用することである。このリモートインターフェースは、ユーザまたはシステム管理者がケーブルまたはＤＳＬネットワークインターフェースなどのリモートインターフェースを介してゲートウェイの電話番号の優先順位を構成することを可能にする。
【００２２】
図５に戻ると、電話番号および優先順位の構成が完成すれば、ゲートウェイシステムを使い始めることができる。この点において、ステップ５０４から５１６は、電話回線管理を提供する際のゲートウェイの機能の基盤として働く。ステップ５０４で、ゲートウェイは、任意の番号がダイヤルされたかどうかを監視することによって、電話番号がダイヤルされたかどうかを検出することができる。一般に、電話番号のダイヤルは、アクティブな呼が進行中かどうかに関係なく、ハンドセットが操作され（オフフックになり）、電話番号がダイヤルされた場合に行われ得る。したがって、アナログ電話が電話番号をダイヤルした場合、またはワイヤレスハンドセットが電話番号をダイヤルした場合、または自動ダイヤル装置が電話番号をダイヤルした場合、ステップ５０４はダイヤルされた電話番号を検出し、ステップ５０６に移動する。
【００２３】
ステップ５０６で、アクティブな呼が進行中かどうかの判定が行われる。進行中のアクティブな呼がない場合、ステップ５０６はステップ５１６に移動し、ダイヤルされた番号が接続される。接続後、方法５００はステップ５０４に戻って、ダイヤルされる別の番号の検出を待機する。ステップ５０６でアクティブな呼が存在する場合、この方法はステップ５０８に移動し、ステップ５０８ではダイヤルされた番号が電話番号の優先順位リストと比較される。ステップ５０８で、ダイヤルされた電話番号が電話番号の優先順位リストにない場合、ステップ５０８はステップ５１４に移動し、ダイヤルされた番号は無視される。この動作が行われるのは、ダイヤルされた番号にはアクティブな呼に対する優先順位がないためである。したがって、アクティブな呼は高い優先順位を有するはずである。次いで、方法５００はステップ５０４に戻って、別のダイヤルされる番号を待機する。しかし、ダイヤルされた番号が優先順位リストにある場合、ステップ５０８はステップ５１０に移動し、ステップ５１０では優先順位が比較される。
【００２４】
ステップ５１０で、ダイヤルされた番号がアクティブな呼の電話番号に比べて低い優先順位を有する場合、ステップ５１０はステップ５１４に移動し、ダイヤルされた番号は無視される。次いで、方法５００はステップ５０４に戻り、別のダイヤルされる番号の入力を待機する。しかし、ダイヤルされた番号がアクティブな呼の電話番号よりも高い優先順位を有する場合、ステップ５１０はステップ５１２に移動する。ステップ５１２で、アクティブな呼が中断され、新たにダイヤルされた番号を使用して新しい呼がかけられる。新たにダイヤルされた、優先順位が高い電話呼がかけられた後、方法５００はステップ５０４に戻り、別のダイヤルされる電話番号を待機する。
【００２５】
本明細書に記載される実装形態は、例えば、方法もしくはプロセス、装置、またはハードウェアとソフトウェアの組合せにおいて実施され得る。単一の形態の実施の文脈においてのみ説明されている（例えば、方法としてのみ説明されている）としても、説明された特徴の実装形態を別の形態（例えば、ハードウェア装置、ハードウェアおよびソフトウェア装置、またはコンピュータ可読媒体）で実施することもできる。装置は、例えば、適切なハードウェア、ソフトウェア、およびファームウェアにおいて実施され得る。例えば、方法を、例えば処理装置などの装置において実施することができ、この処理装置は、例えば、コンピュータ、マイクロプロセッサ、集積回路、またはプログラマブル論理デバイスを含む任意の処理デバイスを指す。処理デバイスは、例えば、コンピュータ、携帯電話、携帯情報端末（ｐｏｒｔａｂｌｅ／ｐｅｒｓｏｎａｌ  ｄｉｇｉｔａｌ  ａｓｓｉｓｔａｎｔｓ）（「ＰＤＡ」）、およびエンドユーザ間の情報の通信を容易にする他のデバイスなどの通信デバイスも含む。
【００２６】
さらに、処理装置によって実行される命令によって方法を実施することができ、そのような命令を、処理装置または、例えば、集積回路、ソフトウェア担体もしくは他の記憶装置デバイス（例えば、ハードディスク、コンパクトディスケット、ランダムアクセスメモリ（「ＲＡＭ」）、読取り専用メモリ（「ＲＯＭ」）または任意の他の磁気、光学、もしくはソリッドステート媒体など）などのコンピュータ可読媒体に記憶することができる。命令は、上記に列挙した媒体のいずれかなどのコンピュータ可読媒体上で明白に具体化されるアプリケーションプログラムを形成することができる。明らかなように、処理装置は、処理装置ユニットの一部として、例えば、プロセスを実行するための命令を有するコンピュータ可読媒体を含み得る。本発明の方法に対応する命令は、実行されるとき、汎用コンピュータを、本発明の方法を実行する専用マシンに変えることができる。
【図１】
2013526147.tif 000003
【図２】
2013526147.tif 000004
【図３】
2013526147.tif 000005
【図４】
2013526147.tif 000006
【図５】
2013526147.tif 000007
【国際調査報告】
2013526147.tif 000008